(57)【要約】【課題】ポインティングデバイスを持たない携帯型電子機器と同等の薄型化を実現することができる、ポインティングデバイスを有する携帯型電子機器を提供する。【解決手段】携帯型電子機器が、ディスプレイ４と、メイン基板８と、メイン基板８の上に配置されている金属板９と、ディスプレイ内のカーソルを移動させるために操作可能であるとともに、押しボタンスイッチ機構を構成しているポインティングデバイス６と、を有している。ポインティングデバイス６の少なくとも一部が、金属板９に設けられている凹部９ａ内に収容されているか、または、ポインティングデバイス６は、金属板９に設けられている開口９ｂを介してメイン基板８の上に構成されている。【選択図】図３
2012181729.tif 000002
【特許請求の範囲】
【請求項１】
ディスプレイと、メイン基板と、前記メイン基板の上に配置されている板部材と、前記ディスプレイ内のカーソルを移動させるために操作可能であるとともに、押しボタンスイッチ機構を構成しているポインティングデバイスと、を有し、前記ポインティングデバイスの少なくとも一部が、前記板部材に設けられている凹部内に収容されている、携帯型電子機器。
【請求項２】
前記板部材の上にフレキシブル基板が貼り付けられており、前記フレキシブル基板は、前記凹部に対向する部分が、腕部のみでつながって腕部以外の部分は周囲から分断された浮島部になっており、前記浮島部は前記凹部内に収容されている、請求項１に記載の携帯型電子機器。
【請求項３】
ディスプレイと、メイン基板と、前記メイン基板の上に配置されている板部材と、前記ディスプレイ内のカーソルを移動させるために操作可能であるとともに、押しボタンスイッチ機構を構成しているポインティングデバイスと、を有し、前記ポインティングデバイスは、前記板部材に設けられている開口を介して前記メイン基板の上に構成されている、携帯型電子機器。
【請求項４】
前記板部材の上にフレキシブル基板が貼り付けられており、前記フレキシブル基板は、前記開口に対向する部分が、腕部のみでつながって腕部以外の部分は周囲から分断された浮島部になっており、前記浮島部は前記開口を介して、前記メイン基板上に位置している、請求項３に記載の携帯型電子機器。
【発明の詳細な説明】
【技術分野】
【０００１】
本発明は携帯型電子機器、特にポインティングデバイスを有する携帯電話機などの携帯型電子機器に関する。
【背景技術】
【０００２】
携帯電話機等の携帯型電子機器においてポインティングデバイスが設けられた構成が、特許文献１，２に開示されている。これらの構成では、初期状態では直立しているポインティングデバイスのキーを、使用者が任意の方向に傾けることによって、その傾けた方向にディスプレイ内のカーソルを移動させることができる。さらに、使用者がキーを押し下げることによって、ディスプレイ内でカーソルが指し示している処理を実行させるためのスイッチングを行うことができる。
【先行技術文献】
【特許文献】
【０００３】
【特許文献１】特開２００８−１５３２３３号公報
【特許文献２】特開２００６−１９７１５９号公報
【発明の概要】
【発明が解決しようとする課題】
【０００４】
このようなポインティングデバイスを構成するためには、携帯型電子機器内に、少なくとも、操作部であるキーと、キーに外力が加わっていないときにキーを初期状態に復帰させる復帰機構と、キーの傾き方向および傾き量を検知するセンサと、キーを押しボタンスイッチとして機能させるための機構とが配置されている。従って、ポインティングデバイスが構成されている部分は比較的厚くなり、携帯型電子機器のその他の部分、すなわち単純な押しボタンスイッチのみが構成されている部分等に比べて厚くなる。それにより、ポインティングデバイスを有する携帯型電子機器は、ポインティングデバイスを持たない携帯型電子機器よりも厚くなってしまう。
【０００５】
そこで本発明の目的は、上述した課題を解決し、ポインティングデバイスを持たない携帯型電子機器と同等の薄型化を実現することができる、ポインティングデバイスを有する携帯型電子機器を提供することにある。
【課題を解決するための手段】
【０００６】
本発明の携帯型電子機器は、ディスプレイと、メイン基板と、メイン基板の上に配置されている板部材と、ディスプレイ内のカーソルを移動させるために操作可能であるとともに、押しボタンスイッチ機構を構成しているポインティングデバイスと、を有している。ポインティングデバイスの少なくとも一部が、板部材に設けられている凹部内に収容されているか、または、ポインティングデバイスは、板部材に設けられている開口を介してメイン基板の上に構成されている。
【発明の効果】
【０００７】
本発明では、ポインティングデバイスの少なくとも一部を、板部材に設けられた凹部内に収容した構成、または、ポインティングデバイスを、板部材に設けられた開口を介してメイン基板の上に形成した構成を採用している。そのため、ポインティングデバイスが構成された部分においては、板部材の厚さが部分的に小さくなっているか、または板部材が存在しない。このように、部分的に板部材の厚さを従来よりも低減またはなくすことによって、ポインティングデバイスの厚さを吸収することができる。その結果、ポインティングデバイスを有する携帯型電子機器の全体の厚さを、ポインティングデバイスを持たない携帯型電子機器と同等の薄さにすることが可能である。
【図面の簡単な説明】
【０００８】
【図１】本発明の携帯型電子機器の一実施形態である携帯電話機を広げた状態を示す平面図である。
【図２】図１に示す携帯電話機の下側部分を示す分解斜視図である。
【図３】図１に示す携帯電話機のポインティングデバイスを示す、図１のａ−ａ線断面図である。
【図４】図１に示す携帯電話機のフレキシブル基板の、ポインティングデバイスに対向する部分を示す斜視図である。
【図５】本発明の他の実施形態の携帯電話機の下側部分を示す分解斜視図である。
【図６】図５に示す携帯電話機のポインティングデバイスを示す断面図である。
【発明を実施するための形態】
【０００９】
以下、本発明の実施の形態について図面を参照して説明する。
【００１０】
本発明の携帯型電子機器の一実施形態である携帯電話機が、図１に示されている。この携帯電話機は、上ケース１を含む上側部分と下ケース２を含む下側部分とが、軸３を介して揺動可能に連結された折り畳み型である。上ケース１にディスプレイ４が設けられ、下ケース２に、テンキーを含む押しボタンスイッチ群５と、ポインティングデバイス６が設けられている。ポインティングデバイス６は、使用者がキー６ａを任意の方向に傾けることによってディスプレイ４内のカーソル７を移動させることができるとともに、キー６ａを押し下げることによって、ディスプレイ４内でカーソル７が指し示している処理を実行させるためのスイッチとして機能する。
【００１１】
図２に示すように、下ケース２には、メイン基板８が挿入され、その上に板部材である金属板（板金）９が配置され、金属板９上にはフレキシブル基板１０が貼り付けられており、さらにその上にキーシート１１が配置されている。金属板９は、下ケース２との間にメイン基板８を挟み込んだ状態で、ねじ１２によって下ケース２に固定されている。メイン基板８は電気部品を有している。
【００１２】
図３に示すように、金属板９の上方にポインティングデバイス６が構成されており、ポインティングデバイス６は、キーシート１１を介して外部に露出するキー６ａを含む。キー６ａは、初期状態では直立し、使用者の操作によって任意の方向に傾くことができるように、揺動可能に支持されている。そして、キー６ａは、外力が加わっていないときには、復帰機構である弾性シート（不図示）によって初期状態（直立状態）に復帰させられる。さらに、キー６ａが傾いたときの傾き方向および傾き量を検知するセンサ（不図示）が設けられている。初期状態のキー６ａの直下の位置に、弾性を有するドーム状部分６ｂが設けられている。図示しないが、ドーム状部分６ｂの内部には導体部分（不図示）が設けられており、ドーム状部分６ｂの下方には、フレキシブル基板１０に設けられた接点が配置されている。そして、キー６ａと、導体部分を含むドーム状部分６ｂと、接点とによって押しボタンスイッチ機構が構成されている。
【００１３】
キー６ａが、初期状態において使用者によって押し下げられると、弾性を有するドーム状部分６ｂを加圧して変形させる。変形させられたドーム状部分６ｂは、図示しないが、内部に設けられている導体部分がその下方の接点と接触することによって導通する。そして、キー６ａを押し下げる力が解除されると、ドーム状部分６ｂの弾性によって、その変形状態から初期状態に復帰し、導体部分が接点から離れて導通が解除される。押しボタンスイッチ機構はこのように機能する。
【００１４】
また、キー６ａは、金属板９上で任意の方向に傾くように揺動可能である。そして、キー６ａの傾き方向および傾き量は、図示しないセンサによって検知される。そして、センサが検知した傾き方向および傾き量に従って、ディスプレイ４内のカーソル７が移動するように設定されている。そして、キー６ａを傾ける力が解除されると、図示しない弾性シートの弾性力によってキー６ａは初期状態に復帰させられる。このようにキー６ａが初期状態に復帰させられるときには、ディスプレイ４内のカーソル７は移動しないように設定されている。
【００１５】
このような構成において、本実施形態では、金属板９のポインティングデバイス６を支持する部分に、深さαの凹部９ａが形成されている。そして、メイン基板８の厚さ（厳密に言うと、メイン基板８に含まれる電気部品の高さ）が、凹部９ａに対向する部分では凹部９ａの深さαに相当する分だけ小さくなっている。
【００１６】
従来は、ポインティングデバイス６のキー６ａの裏面の凸部（押し子）とドーム状部分６ｂの厚さだけ、携帯電話機の下側部分全体の厚さが厚くなっていた。しかし、本実施形態では、ポインティングデバイス６のキー６ａの裏面の凸部とドーム状部分６ｂの少なくとも一部、好ましくは大部分が、金属板９の凹部９ａ内に収容されている。従って、ポインティングデバイス６を有するにもかかわらず、携帯電話機の下側部分全体の厚さが厚くなることはない。なお、凹部９ａは、ポインティングデバイス６のキー６ａの動作範囲に合わせて必要最小限の平面形状および寸法に形成されている。
【００１７】
以上説明したように、金属板９に凹部９ａが設けられているため、フレキシブル基板１０はこの凹部９ａに沿って配置される。本実施形態では、フレキシブル基板１０の、凹部に対向する部分は、腕部１０ａのみでつながり、腕部１０ａ以外の部分は周囲から分断された浮島部１０ｂになっている。このような構成であるため、腕部１０ａが下方に屈曲して浮島部１０ｂが凹部９ａ内に円滑に入り込む。従って、金属板９に凹部９ａが形成されることによって金属板９とフレキシブル基板１０の密着性が悪くなる危険性が回避できる。さらに、浮島部１０ｂ内に複数（図示されている例では３つ）の位置決め孔１０ｃを設け、これらの位置決め孔１０ｃを、金属板９に設けられた位置決め突起（不図示）等に嵌合させることによって、浮島部１０ｂを形成したことによる位置精度低下を防ぐことができる。
【００１８】
図５，６には、本発明の他の実施形態が示されている。この実施形態では、金属板９に、凹部９ａではなく、開口９ｂを形成している。そして、ドーム状部分６ｂや不図示の接点は、メイン基板８（厳密に言うと、メイン基板８に含まれる電気部品）の上に直接配置されたフレキシブル基板１０上に位置している。それ以外の構成は、前記した第１の実施形態と同様なので説明を省略する。
【００１９】
本実施形態によると、ポインティングデバイス６に対向する部分に金属板９が存在しないため、前記した第１の実施形態と同様に、ポインティングデバイス６を有するにもかかわらず、携帯電話機の下側部分全体の厚さが厚くなることはないという効果が得られる。さらに、金属板９とフレキシブル基板１０の密着性の悪化や位置精度低下をより確実に防止することができる。
【００２０】
なお、本発明は、図１に示すような折り畳み型の携帯電話機に限られず、折り畳み型でないストレート型の携帯電話機にも適用でき、さらに、携帯電話機以外の様々な携帯型電子機器にも広く適用できる。
【符号の説明】
【００２１】
１      上ケース
２      下ケース
３      軸
４      ディスプレイ
５      押しボタンスイッチ群
６      ポインティングデバイス
６ａ    キー
６ｂ    ドーム状部分
７      カーソル
８      メイン基板
９      金属板（板部材）
９ａ    凹部
９ｂ    開口
１０    フレキシブル基板
１０ａ  腕部
１０ｂ  浮島部
１０ｃ  位置決め孔
１１    キーシート
１２    ねじ
【図１】
2012181729.tif 000003
【図２】
2012181729.tif 000004
【図３】
2012181729.tif 000005
【図４】
2012181729.tif 000006
【図５】
2012181729.tif 000007
【図６】
2012181729.tif 000008